(57)【要約】【課題】ノートに記入される学習内容などを、ユーザが記憶しやすくする技術を提供する。【解決手段】ノート１は、行を示唆する罫線（１０、１１、１２、１３、１４、１５）が複数施されることで、３以上の複数の行を有する用紙２を具備する。複数の行が、それぞれ視覚的または触覚的に異なる態様で構成されている。複数の行は、少なくとも、第１の行（１１Ａ、１２Ａ）と、第１の行に隣接して後続する第２の行（１２Ａ、１３Ａ）と、第２の行に隣接して後続する第３の行（１３Ａ、１４Ａ）とを含む。複数の行のそれぞれを構成する罫線、配色が異なることで、複数の行がそれぞれ異なる態様で構成される。【選択図】図２
2019084690.tif 000002
【特許請求の範囲】
【請求項１】
行を示唆する罫線が複数施されることで、３以上の複数の行を有する用紙を具備するノートであって、
前記複数の行が、それぞれ視覚的または触覚的に異なる態様で構成されている、ノート。
【請求項２】
前記複数の行は、少なくとも、第１の行と、前記第１の行に隣接して後続する第２の行と、前記第２の行に隣接して後続する第３の行とを含み、
前記第１の行を構成する罫線の態様と、前記第２の行を構成する罫線の態様と、前記第３の行を構成する罫線の態様とがそれぞれ異なる、請求項１に記載のノート。
【請求項３】
前記複数の行のそれぞれは、前記行を示唆する罫線と、前記行の背景色とで構成されており、
前記複数の行がそれぞれ異なる態様で構成されていることとは、前記複数の行の各行を構成する罫線および背景色の組み合わせが、各行でそれぞれ異なることである、請求項１または２に記載のノート。
【請求項４】
前記複数の行は、連続する少なくとも２つの行からなる部分ブロックを複数含み、
各部分ブロックを構成する行のそれぞれは、各行を構成する罫線がそれぞれ異なるように構成されており、
前記用紙に含まれる各部分ブロックは、それぞれ、各部分ブロックで異なる背景色を有するように構成されている、請求項１から３のいずれか１項に記載のノート。
【請求項５】
前記部分ブロックに含まれる罫線は、予め定められた順序で複数の種類の罫線が配されるように構成されている、請求項４に記載のノート。
【請求項６】
行を示唆する罫線が複数施されることで、３以上の複数の行を有する用紙であって、
前記複数の行が、それぞれ視覚的または触覚的に異なる態様で構成されている、用紙。
【請求項７】
プロセッサ、メモリ、表示部および操作部を有する電子機器であって、
前記プロセッサが、前記メモリに記憶されるプログラムを読み込んで実行することにより、電子ノート・アプリケーションとしての機能を発揮するように構成されており、
前記電子機器は、前記電子ノート・アプリケーションを前記プロセッサで実行することにより、
行を示唆する罫線が複数施されることで、３以上の複数の行を含む画面を前記表示部に表示させ、
前記各行の記入内容を読みだして、前記表示部に前記各行の記入内容を表示させ、
前記複数の行を、それぞれ視覚的に異なる態様で前記表示部に表示させる、電子機器。
【請求項８】
プロセッサ、メモリ、表示部および操作部を有する電子機器において実行されるプログラムであって、
前記プログラムは、前記プロセッサに、
行を示唆する罫線が複数施されることで、３以上の複数の行を含む画面を前記表示部に表示させるステップと、
前記各行の記入内容を前記メモリから読みだして、前記表示部に前記各行の記入内容を表示させるステップと、
前記複数の行を、それぞれ視覚的に異なる態様で前記表示部に表示させるステップとを実行させる、プログラム。
【発明の詳細な説明】
【技術分野】
【０００１】
本開示は、ノート、用紙、電子ノート・アプリケーションを提供する電子機器、その電子機器の動作を制御するプログラムに関する。
【背景技術】
【０００２】
従来より、使い勝手のよいノートを提供することを目的として、様々なノートが開発されている。例えば、特開２０１７−１５９４５３号公報（特許文献１）には、紙面に行を示唆する複数本の罫線を施した用紙を具備するノートについて記載されている。特許文献１では、ノートのユーザが、罫線に沿って、例えば横方向に文字などを整然と記述することを可能としつつ、罫線と直交する方向（例えば、縦方向）に補助線を配することが記載されている。特許文献１では、ユーザの自由度を強く制限することなく、左右方向の位置決めの目安をユーザに提供することができることが記載されている。
【０００３】
また、学習に適したノートを提供するために、様々な技術が開発されている。例えば、特開平１１−７８３００号公報（特許文献２）には、「英語等の外国語の単語、歴史の年表、地理、化学、物理や数学の公式、国語や古語の漢字や単語等を記憶できたかどうかの確認がし易いとともに、単語等を確実に暗記することができ、暗記学習を効率的に行うことができ」ることを目的とした技術が記載されている。具体的には、ノートの一面において、（１）筆記欄を配しており、他面において、（２）記憶欄と、（３）取り出し欄とを配することが記載されている。ユーザは、（１）筆記欄に、暗記する英単語等を繰り返し記載して記憶する。また、ユーザは、（２）記憶欄に、英単語の語意を記載する。ユーザは、筆記欄、記憶欄に記載した後、例えば翌日などにおいて、記憶欄の語意を見て、（３）取り出し欄にその英単語を記載できるかどうかで、当該英単語を暗記できたかどうかを確認することができることが特許文献２に記載されている。
【０００４】
また、学習ノートの技術として、例えば、特開２００５−２８８５０号公報（特許文献３）には、エディングハウスの忘却曲線について言及し、また、発明者自身が学習塾の経営により得られた知見に基づき、ユーザが最小の努力で最大限に効果を発揮できる学習ノートを提供することを目的とした技術が記載されている。特許文献３によると、ユーザは、複数枚で一組の用紙に対し、問題または暗記事項を記入する。そうすると、記入した内容が各用紙に複写され、各用紙には異なる学習予定日の日付を記入する。こうすることで、各学習予定日に行う同一の問題または暗記事項を、１回の作業で複写することができ、学習効率が上がることが記載されている。
【先行技術文献】
【特許文献】
【０００５】
【特許文献１】特開２０１７−１５９４５３号公報
【特許文献２】特開平１１−７８３００号公報
【特許文献３】特開２００５−２８８５０号公報
【発明の概要】
【発明が解決しようとする課題】
【０００６】
特許文献２の技術は、ユーザが、筆記欄に記載された内容の意味を記憶欄に記入したうえで、記憶欄に記入された内容を手掛かりに、筆記欄に記載された内容を取り出し欄に記載することができるかどうかでユーザの学習を支援するものである。そのため、用途としては、英単語を暗記するといった用途に向けられたものであるとも考えられる。また特許文献３は、問題又は暗記事項を記入したものが複写されることから、同一内容の問題又は暗記事項を、時間を空けて復習することで記憶の定着を図ることに向けられたものであるとも考えられる。
【０００７】
また、近年、スマートフォン、タブレット端末などの電子機器が普及してきており、これら電子機器等によりユーザが情報を閲覧することも広く行われている。例えば、ユーザは、電子機器のメモ帳アプリケーションなどにより情報を記録することができ、いわば電子的なノート（電子ノート）に情報を記入しているようなものである。例えば、タブレット端末に、タップ操作、フリック操作などにより文字を入力すること、スタイラスペンなどを用いて手書きで文字、図形等を入力することなどがユーザによって行われている。
英単語の記憶などの用途に限られず、より汎用的な学習内容の記憶に役立てることができるノート、用紙、電子ノートの別の技術が必要とされている。
【０００８】
本開示は、ユーザの学習内容の記憶の定着を支援することができる技術を提供することを目的とする。
【課題を解決するための手段】
【０００９】
本開示に係るノートは、行を示唆する罫線が複数施されることで、３以上の複数の行を有する用紙を具備するものである。ノートの複数の行が、それぞれ視覚的または触覚的に異なる態様で構成されている。
【００１０】
本開示に係る用紙は、行を示唆する罫線が複数施されることで、３以上の複数の行を有するものである。用紙の複数の行が、それぞれ視覚的または触覚的に異なる態様で構成されている。
【００１１】
本開示に係る電子機器は、プロセッサ、メモリ、表示部および操作部を有するものである。プロセッサが、メモリに記憶されるプログラムを読み込んで実行することにより、電子ノート・アプリケーションとしての機能を発揮するように構成されている。電子機器は、電子ノート・アプリケーションをプロセッサで実行することにより、行を示唆する罫線が複数施されることで、３以上の複数の行を含む画面を表示部に表示させ、各行の記入内容を読みだして、表示部に各行の記入内容を表示させ、複数の行が、それぞれ視覚的に異なる態様で表示部に表示されている。
【００１２】
本開示に係るプログラムは、プロセッサ、メモリ、表示部および操作部を有する電子機器において実行されるものである。プログラムは、プロセッサに、行を示唆する罫線が複数施されることで、３以上の複数の行を含む画面を表示部に表示させるステップと、各行の記入内容をメモリから読みだして、表示部に各行の記入内容を表示させるステップと、複数の行を、それぞれ視覚的に異なる態様で表示部に表示させるステップとを実行させる。
【発明の効果】
【００１３】
本開示の一態様によれば、複数の行のそれぞれが異なる態様で構成されている。そのため、ユーザは、各行に記入されている内容を、各行のそれぞれの態様と関連付けて記憶することができ、記憶の定着をよりいっそう効果的なものとすることができる。複数の行のそれぞれが異なる態様で構成されているため、例えば、ユーザが、特定の行に記入を行う場合、当該記入した内容を、記入に使用した行の態様と関連付けて、エピソード的に記憶することが容易になる。このように、本開示の一態様によると、ユーザがエピソード的に記憶することを支援することにより、記憶の定着をよりいっそう強化することができる。
【００１４】
従来のノートのように、例えば全ての行について同一の罫線が使用されているようなものにユーザが記入する場合、ユーザは、ある内容を思い出そうとした際に、ノートの各行の態様がほとんど同一であるため、どの行に記入してあったかの記憶を呼び戻すことが容易ではないが、本開示の一態様のように、複数の行のそれぞれが異なる態様で構成されている者である場合、ユーザは、特定の行を構成する態様をも手掛かりとして、どの行に記入してあったかの記憶を呼び戻すことができる。
【図面の簡単な説明】
【００１５】
【図１】一実施形態のノートを見開いた状態を示す平面図である。
【図２】ノート１の片側のページを構成する用紙の平面図である。
【図３】電子機器とサーバとを含むシステムの全体的な構成を示す図である。
【図４】電子機器３０の機能的な構成を示す図である。
【図５】サーバ９０の機能的な構成を示す図である。
【図６】サーバ９０で記憶されるデータのデータ構造を示す図である。
【図７】電子機器３０のタッチスクリーンにおいて、ノートレイアウトの情報に従って、ノート・アプリケーションが表示する画面の表示例を示す。
【図８】電子機器３０のユーザが、ノートレイアウトの情報の配信プラットフォームとして機能するサーバ９０にアクセスする操作を行って、ユーザの操作内容を電子機器３０からサーバ９０へ送信する処理を示すフローチャートである。
【発明を実施するための形態】
【００１６】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００１７】
＜１  実施形態１のノート、用紙＞
図１と図２とを参照して、本実施形態のノートおよび用紙について説明する。
【００１８】
図１は、一実施形態のノートを見開いた状態を示す平面図である。図２は、一実施形態のノート１の片側のページを構成する用紙の平面図である。
【００１９】
図１に示すように、本実施形態のノート１は、複数枚の用紙２を綴じたものである。用紙２には、行を示唆する複数本の罫線が施されている。これにより、用紙２は、複数の行を有する。図１に示すように、用紙２は、複数の行として、３以上の行を有している。後述するように、用紙２の複数の行は、それぞれ異なる態様で構成されている。
【００２０】
ここで、複数の行のそれぞれが異なる態様で構成されるとは、複数の行のそれぞれにおいて、各行がそれぞれ異なるものであるようにユーザの五感により感知されるように構成されていることをいう。
【００２１】
例えば、複数の行のそれぞれが異なる態様で構成されるとは、複数の行のそれぞれにおいて、各行がユーザの視覚的に異なる態様で構成されていることを含む。具体的には、行を構成する要素として、罫線、背景色その他の要素があることに対応し、各行を示唆する罫線と、各行の背景色との少なくともいずれかが、複数の行のそれぞれで異なることを含む。例えば、複数の行の各行を示唆する罫線が、各行でそれぞれ異なることとしてもよい。また、各行の背景色が、各行で異なることとしてもよい。また、各行の罫線および背景色の組み合わせが、各行で異なることとしてもよい。なお、図１の例では、ノートを見開いた状態を示すこととしており、各行の背景色が異なる構成については図２を用いて後述する。
【００２２】
また、複数の行がそれぞれ異なる態様で構成されるとは、複数の行のそれぞれにおいて、各行がユーザの触覚的に異なる態様で構成されていることを含む。具体的には、行を構成する要素として、紙の素材、紙に物理的な変形を施す加工（エンポス加工など、紙を変形させるための各種加工）などがあることに対応し、各行の紙の素材と、各行に施される加工との少なくともいずれかが、複数の行のそれぞれで異なることを含む。例えば、用紙２が、複数の紙の素材を組み合わせて作成されるものである場合は、各行の素材が、各行で異なることとしてもよい。この他に、１枚の用紙２が同一の素材で作成されるものであるとしても、各行に施される物理的な変形が、各行で異なることとしてもよい。
【００２３】
図２に示すように、本実施形態のノート１の用紙２は、行を示唆する複数の罫線が施されている。用紙２は、罫線として、最上部の罫線１０と、第１の種類の罫線１１（罫線１１Ａ、１１Ｂ、１１Ｃ、１１Ｄ）と、第２の種類の罫線１２（１２Ａ、１２Ｂ、１２Ｃ、１２Ｄ）と、第３の種類の罫線１３（１３Ａ、１３Ｂ、１３Ｃ、１３Ｄ）と、第４の種類の罫線１４（１４Ａ、１４Ｂ、１４Ｃ、１４Ｄ）と、最下部の罫線１５とを有する。これら第１の種類の罫線１１、第２の種類の罫線１２、第３の種類の罫線１３、第４の種類の罫線１４は、それぞれ、異なる種類の罫線である。例えば、罫線が、罫線の端点から別の端点まで一筆書きで構成されているものと、罫線の端点から別の端点まで空白部を有するものとが交互に配されることとしてもよい。これにより、隣接する行で、視覚的に異なる印象をユーザに与えることが容易になる。少なくとも、第１の行と、第１の行に隣接して後続する第２の行と、第２の行に隣接して後続する第３の行とにおいて、第１の行を構成する罫線の態様と、第２の行を構成する罫線の態様と、第３の行を構成する罫線の態様とがそれぞれ異なることとしてもよい。
【００２４】
本実施形態では、図示するように、第１の種類の罫線１１は、実線により構成されている。第２の種類の罫線１２は、点線により構成されている。第３の種類の罫線１３は、波線により構成されている。第４の種類の罫線１４は、破線により構成されている。
【００２５】
このように、ノート１の用紙２は、罫線が、実線、点線、波線、破線の順序で一巡しており、これら罫線が、それぞれ異なる背景色で巡回（本実施系他では５巡）するように構成されている。本実施形態では、罫線の構成が一巡するひとかたまりの行を、「部分ブロック」と称することとする。
【００２６】
用紙２は、罫線が一巡する各部分ブロックとして、第１の部分ブロック２１と、第２の部分ブロック２２と、第３の部分ブロック２３と、第４の部分ブロック２４と、第５の部分ブロック２５とを示している。用紙２の紙面は無地であるが、これら第１の部分ブロック２１、第２の部分ブロック２２、第３の部分ブロック２３、第４の部分ブロック２４、第５の部分ブロック２５には、それぞれ異なる着色が施されている。図２の例では、各部分ブロックに対して異なる着色が施されていることを、斜め点線状のハッチングで示している。例えば、第１の部分ブロック２１は白色、第２の部分ブロック２２は青色、第３の部分ブロック２３は黄色、第４の部分ブロック２４は赤色、第５の部分ブロック２５はグレー色を配することとしてもよい。
【００２７】
このように、罫線の種類を巡回させつつ、各部分ブロックで異なる着色を施して各行の背景色を異ならせるようにすると、各行を視覚的に異なる態様でユーザに認識させつつ、ノートの各行の構成が、罫線と背景色とにより規則的なものとしてもユーザに認識させることができる。例えば、ユーザが、ノート１に記入した内容を記憶に定着させる際に、各行の罫線の態様と、各行の背景色とを手掛かりとすることができ、記憶の定着をいっそう容易にすることができる。例えば、ユーザが記憶した内容を確認しようとして、ノート１の用紙２に記入した行の位置をおおよそ特定することができると、その行の周辺も含む罫線と、行の背景色とを思い出しながら、用紙２に記入した内容を呼び起こすこともできうる。これにより、ユーザの学習効率が向上しうる。
【００２８】
上記の実施形態では、用紙２に含まれる複数の行は、部分ブロックと、どのブロックにも属していない単独の行（最上部の罫線１０と第１の種類の罫線１１Ａとにより囲われる行）とを有する構成として説明したが、この他にも、用紙２に含まれる複数の行の全てが、それぞれ視覚的または触覚的に異なる態様で構成されていてもよいし、用紙に含まれる全ての行のうち、一部の複数の行について、それぞれの行が視覚的または触覚的に異なる態様で構成されていてもよい。
【００２９】
以上のように本実施形態のノート１、用紙２について説明してきたが、本実施形態の用紙２は、ノートの各ページを構成するだけでなく、一枚単位に分離可能なルーズリーフ、レポート用紙、メモ帳その他の用紙に適用することができる。
【００３０】
さらに、上記実施形態におけるノートは横書き用のものであったが、縦書き用のノートまたは用紙に適用することも当然に可能である。
【００３１】
＜２  実施形態２の電子機器、プログラム＞
別の実施形態について説明する。実施の形態２では、実施の形態１で説明した用紙２に含まれる各行のレイアウトについて、電子機器において表示可能とする構成を説明する。例えば、電子機器において、ユーザによる文字等の入力を受け付けるノート・アプリケーションが提供されている。これらノート・アプリケーションにおける各行の態様を、実施の形態１の用紙２に含まれるものとして説明したものと同様のものとしてもよい。
【００３２】
図３は、電子機器とサーバとを含むシステムの全体的な構成を示す図である。図３に示すように、システムは、ユーザが使用する端末である電子機器３０と、サーバ９０とを含む。電子機器３０とサーバ９０とは、ネットワーク８０を介して通信接続する。電子機器３０とサーバ９０とは、ネットワーク８０を介して通信接続する。
【００３３】
電子機器３０は、例えば据え置き型のＰＣ（Personal  Computer）、ラップトップＰＣ、移動体通信システムに対応したスマートフォン、タブレット等の携帯端末などにより実現される。
【００３４】
図３に電子機器３０として示すように、電子機器３０は、通信ＩＦ（Interface）３２と、入出力ＩＦ３３と、メモリ３５と、ストレージ３６と、カメラ３７と、プロセッサ３９とを備える。サーバ９０は、通信ＩＦ９２と、入出力ＩＦ９３と、メモリ９５と、ストレージ９６と、プロセッサ９９とを備える。
【００３５】
電子機器３０は、ＬＴＥなどの通信規格に対応した無線基地局８１、ＩＥＥＥ８０２．１１などの無線ＬＡＮ規格に対応した無線ＬＡＮルータ８２等の通信機器と通信することによりネットワーク８０に接続される。
【００３６】
通信ＩＦ３２は、電子機器３０が外部の装置と通信するため、信号を入出力するためのインタフェースである。入出力ＩＦ３３は、ユーザからの入力操作を受け付けるための入力装置（例えば、タッチパネル、タッチパッド、マウス等のポインティングデバイス、キーボード等）、および、ユーザに対し情報を提示するための出力装置（ディスプレイ、スピーカ等）とのインタフェースとして機能する。
【００３７】
メモリ３５は、プログラム、および、プログラム等で処理されるデータ等を一時的に記憶するためのものであり、例えばＤＲＡＭ（Dynamic  Random  Access  Memory）等の揮発性のメモリである。ストレージ３６は、データを保存するための記憶装置であり、例えばフラッシュメモリ、ＨＤＤ（Hard  Disc  Drive）である。カメラ３７は、撮影機能を有するデバイスである。プロセッサ３９は、プログラムに記述された命令セットを実行するためのハードウェアであり、演算装置、レジスタ、周辺回路などにより構成される。
【００３８】
電子機器３０は、プログラムを実行することにより、ノートとしての機能を実現する。電子機器３０は、電子的なノートとしての機能を実現して、実施の形態１のノート１の例で説明した、複数の罫線を含むレイアウトを表示するとともに、レイアウトを編集するための操作をユーザから受け付けるように構成される。例えば、電子機器３０は、これら複数の行のそれぞれが視覚的に異なる態様で表示されるように、各種罫線の構成、各行の背景色の設定の変更などをユーザから受け付けて保存する。
【００３９】
サーバ９０は、ユーザが編集したレイアウトのデータを蓄積することができるように構成されている。サーバ９０は、ユーザからの課金処理を受け付けて、レイアウトのデータに基づくレイアウトを有する用紙２、ノート１の購買処理を受け付ける。また、サーバ９０は、ユーザがサーバ９０に保存したレイアウトのデータを、他のユーザに公開することができるように構成される。他のユーザが、当該レイアウトのデータに基づき、レイアウトのデータそのものの購買処理や、レイアウトのデータに基づくレイアウトを有する用紙２、ノート１の購買処理をサーバ９０で受け付ける。このように、ユーザがサーバ９０へ投稿したレイアウトのデータに基づき、他のユーザが購買処理を行った場合に、サーバ９０は、例えば売上金額に応じて、当該ユーザに対し、金銭的なコミッションを支払う処理を実行する。
【００４０】
通信ＩＦ９２は、サーバ９０が外部の装置と通信するため、信号を入出力するためのインタフェースである。入出力ＩＦ９３は、ユーザからの入力操作を受け付けるための入力装置、および、ユーザに対し情報を提示するための出力装置とのインタフェースとして機能する。メモリ９５は、プログラム、および、プログラム等で処理されるデータ等を一時的に記憶するためのものであり、例えばＤＲＡＭ（Dynamic  Random  Access  Memory）等の揮発性のメモリである。
【００４１】
ストレージ９６は、データを保存するための記憶装置であり、例えばフラッシュメモリ、ＨＤＤ（Hard  Disc  Drive）である。プロセッサ９９は、プログラムに記述された命令セットを実行するためのハードウェアであり、演算装置、レジスタ、周辺回路などにより構成される。
【００４２】
＜２．１  電子機器３０の構成＞
図４は、実施の形態１のシステムを構成する電子機器３０のブロック図である。図４に示すように、電子機器３０は、アンテナ３１１と、アンテナに対応する無線通信部３２１と、操作受付部３３０（タッチセンシティブデバイス３３１およびディスプレイ３３２を含む）と、音声処理部３４０と、マイク３４１と、スピーカ３４２と、カメラ３５０と、記憶部３８０と、制御部３９０と、を含む。電子機器３０は、図４では特に図示していない機能及び構成（例えば、電力を保持するためのバッテリ、バッテリから各回路への電力の供給を制御する電力供給回路など）も有している。図４に示すように、電子機器３０に含まれる各ブロックは、バス等により電気的に接続される。
【００４３】
アンテナ３１１は、電子機器３０が発する信号を電波として放射する。また、アンテナ３１１は、空間から電波を受信して受信信号を無線通信部３２１へ与える。
【００４４】
無線通信部３２１は、電子機器３０が他の無線機器と通信するため、アンテナ３１１を介して信号を送受信するための変復調処理などを行う。無線通信部３２１は、チューナー、ＲＳＳＩ（Received  Signal  Strength  Indicator）算出回路、ＣＲＣ（Cyclic  Redundancy  Check）算出回路、高周波回路などを含む通信モジュールである。無線通信部３２１は、電子機器３０が送受信する無線信号の変復調や周波数変換を行い、受信信号を制御部３９０へ与える。
【００４５】
操作受付部３３０は、ユーザの入力操作を受け付けるための機構を有する。具体的には、操作受付部３３０は、タッチスクリーンとして構成され、タッチセンシティブデバイス３３１と、ディスプレイ３３２とを含む。タッチセンシティブデバイス３３１は、電子機器３０のユーザの入力操作を受け付ける。タッチセンシティブデバイス３３１は、例えば静電容量方式のタッチパネルを用いることによって、タッチパネルに対するユーザの接触位置を検出する。タッチセンシティブデバイス３３１は、タッチパネルにより検出したユーザの接触位置を示す信号を入力操作として制御部３９０へ出力する。
【００４６】
ディスプレイ３３２は、制御部３９０の制御に応じて、画像、動画、テキストなどのデータを表示する。ディスプレイ３３２は、例えばＬＣＤ（Liquid  Crystal  Display）や有機ＥＬ（Electro-Luminescence）ディスプレイによって実現される。
【００４７】
音声処理部３４０は、音声信号の変復調を行う。音声処理部３４０は、マイク３４１から与えられる信号を変調して、変調後の信号を制御部３９０へ与える。また、音声処理部３４０は、音声信号をスピーカ３４２へ与える。音声処理部３４０は、例えば音声処理用のプロセッサによって実現される。マイク３４１は、音声入力を受け付けて、当該音声入力に対応する音声信号を音声処理部３４０へ与える。スピーカ３４２は、音声処理部３４０から与えられる音声信号を音声に変換して当該音声を電子機器３０の外部へ出力する。
【００４８】
カメラ３５０は、撮像機能を有するカメラモジュールにより構成される。
【００４９】
記憶部３８０は、例えばフラッシュメモリ等により構成され、電子機器３０が使用するデータおよびプログラムを記憶する。ある局面において、記憶部３８０は、電子ノートアプリケーション３８１と、ノートレイアウト情報３８２と、撮影データ３８３等を記憶する。
【００５０】
電子ノートアプリケーション３８１は、ユーザの入力操作を受け付けて、文字、図形、記号その他の情報の入力内容を保持するためのアプリケーションである。
【００５１】
ノートレイアウト情報３８２は、実施の形態１で説明した用紙２に含まれるような、行を示唆する罫線が複数施されることで複数の行からなるレイアウトをユーザに提供する際に、各行の罫線の種類、各行の背景色などの設定内容を含む情報である。この複数の行の各行を示唆するための罫線の種類、各行の背景色などについて、電子機器３０のユーザが任意に設定することができる。ノートレイアウト情報３８２は、この設定内容を含む。
【００５２】
撮影データ３８３は、ユーザが電子機器３０のカメラ３５０により撮影した画像のデータである。電子機器３０は、電子ノートアプリケーション３８１を実行することにより、カメラ３５０で撮影した画像から、文字認識技術により文字列等を抽出し、抽出結果と、ノートレイアウト情報３８２に示されるレイアウトとを対応付けた画像を生成する機能を有する。すなわち、電子機器３０は、カメラ３５０で読み取った撮影画像から文字列等を抽出して、レイアウトと合成して保存する機能を有する。
【００５３】
制御部３９０は、記憶部３８０に記憶されるプログラムを読み込んで、プログラムに含まれる命令を実行することにより、電子機器３０の動作を制御する。制御部３９０は、例えばアプリケーションプロセッサである。制御部３９０は、プログラムに従って動作することにより、入力操作受付部３９１と、送受信部３９２と、データ処理部３９３と、表示制御部３９４としての機能を発揮する。
【００５４】
入力操作受付部３９１は、タッチセンシティブデバイス３３１等の入力装置に対するユーザの入力操作を受け付ける処理を行う。入力操作受付部３９１は、タッチセンシティブデバイス３３１に対してユーザが指などを接触させた座標の情報に基づき、ユーザの操作がフリック操作であるか、タップ操作であるか、ドラッグ（スワイプ）操作であるか等の操作の種別を判定する。
【００５５】
送受信部３９２は、電子機器３０が、サーバ９０等の外部の装置と、通信プロトコルに従ってデータを送受信するための処理を行う。
【００５６】
データ処理部３９３は、電子機器３０が入力を受け付けたデータに対し、プログラムに従って演算を行い、演算結果をメモリ等に出力する処理を行う。
【００５７】
データ処理部３９３は、サーバ９０に保存されているデータベースにアクセスすることで、過去の購買履歴、ユーザがサーバ９０へアップロードしたノートレイアウト情報３８２などをディスプレイ３３２に表示させる処理を行う。
【００５８】
表示制御部３９４は、表示画像をディスプレイ３３２に表示させる処理を行う。
【００５９】
＜２．２  サーバ９０の機能的な構成＞
図５は、サーバ９０の機能的な構成を示す図である。図５に示すように、サーバ９０は、通信部９０１と、記憶部９０２と、制御部９０３としての機能を発揮する。
【００６０】
通信部９０１は、サーバ９０が外部の装置と通信するための処理を行う。
【００６１】
記憶部９０２は、サーバ９０が使用するデータ及びプログラムを記憶する。記憶部９０２は、ノートレイアウトデータベース９８１と、ユーザ情報データベース９８４と、ノートレイアウト購買履歴データベース９８５とを記憶する。
【００６２】
ノートレイアウトデータベース９８１は、ユーザが編集したレイアウトのデータベースである。
【００６３】
ユーザ情報データベース９８４は、電子機器３０、電子機器３０を操作する各ユーザの情報を保持するデータベースである。
【００６４】
ノートレイアウト購買履歴データベース９８５は、予め登録されたノートレイアウトや、ユーザが編集したノートレイアウトに基づき、ノート１を購入する処理をユーザから受け付けた履歴、ノートレイアウトの情報を購入する処理をユーザから受け付けた履歴その他の購買履歴の情報を保持するデータベースである。
【００６５】
制御部９０３は、サーバ９０のプロセッサがプログラムに従って処理を行うことにより、各種モジュールとして示す機能を発揮する。
【００６６】
操作内容取得モジュール９０４１は、電子機器３０のユーザの操作内容を取得する。操作内容取得モジュール９０４１は、例えば、サーバ９０が電子機器３０に対し、ノートレイアウトの情報を電子機器３０のディスプレイ３３２に提示した状態で、電子機器３０のユーザがノートレイアウトの情報を閲覧すること、ノートレイアウトの情報に基づいた購買処理をすること等の操作内容を取得する。
【００６７】
受信制御モジュール９０４２は、サーバ９０が外部の装置から通信プロトコルに従って信号を受信する処理を制御する。
【００６８】
送信制御モジュール９０４３は、サーバ９０が外部の装置に対し通信プロトコルに従って信号を送信する処理を制御する。
【００６９】
タスク管理モジュール９０４４は、サーバ９０が実行対象とする様々なタスクの実行状況を管理する。
【００７０】
設定受付モジュール９０４５は、ノートレイアウトを編集するための操作に基づき、ノートレイアウトの設定を受け付けて、ノートレイアウトデータベース９８１を更新する。
【００７１】
レコメンド決定モジュール９０４６は、サーバ９０が電子機器３０に対しノートレイアウトの情報を送信する場合に、サーバ９０に保持される各種ノートレイアウトのデータベースの中から、電子機器３０のユーザにレコメンドするノートレイアウトの情報を抽出する。
【００７２】
課金処理モジュール２０４７は、ユーザの端末から、購買のための操作を受け付けた場合に、ユーザに対し課金処理を行う。
【００７３】
＜３．データ構造＞
次に、管理システム１で使用する各種のデータの構造について説明する。
【００７４】
図６は、サーバ９０が管理するユーザ情報データベース９８４のデータ構造を示す図である。
【００７５】
図６に示すように、サーバ９０は、ユーザ情報データベース９８４において、各ユーザを識別する情報（ユーザ識別情報）と、各ユーザが電子機器３０において利用中のノートレイアウトを識別する情報（利用中ノートレイアウト）と、各ユーザがサーバ９０へ保存し、他のユーザへ公開しているノートレイアウトの情報（ノートレイアウト投稿履歴）と、他のユーザへ公開しているノートレイアウトの情報に対し、他のユーザから評価を受けた結果を示す情報（投稿内容被評価数）と、ユーザに対する他のユーザからの評価の結果を示す情報（ユーザの被評価数）とを記憶する。
【００７６】
サーバ９０は、ノートレイアウトデータベース９８１において、各ノートレイアウトを識別する情報（ノートレイアウトＩＤ）と、ノートレイアウトに含まれる複数の行の行数、罫線の種類、各行の配色などの情報（行数、罫線、配色）と、ノートレイアウトの作成者の情報（ノートレイアウト作成者）と、ノートレイアウトが購買された際の購買処理の履歴（ノートレイアウト購買履歴）と、ノートレイアウトに対するユーザの評価結果（ノートレイアウト評価数）とを記憶する。
【００７７】
＜４．画面例＞
図７は、電子機器３０のタッチスクリーンにおいて、ノートレイアウトの情報に従って、ノート・アプリケーションが表示する画面の表示例を示す。
【００７８】
図７に示すように、電子機器３０は、操作受付部３３０のディスプレイ３３２において、ノートレイアウト表示領域３３３Ａに、実施の形態１で説明したような複数の行を表示する。この複数の行は、実施の形態１で説明したように、各行が、それぞれ視覚的に異なる態様で構成されている。
【００７９】
＜５．サーバの動作フロー＞
図８は、電子機器３０のユーザが、ノートレイアウトの情報の配信プラットフォームとして機能するサーバ９０にアクセスする操作を行って、ユーザの操作内容を電子機器３０からサーバ９０へ送信する処理を示すフローチャートである。
【００８０】
ステップＳ１５１１において、電子機器３０は、ユーザから、ノートレイアウトの情報の配信プラットフォームであるサーバ９０へアクセスする操作を受け付けて、ブラウザ等によりサーバ９０へアクセスする。制御部３９０は、ノートレイアウトの情報の提示を配信プラットフォームから受けるための接続要求をサーバ９０へ送信する。
【００８１】
ステップＳ１５２１において、サーバ９０の制御部９０３は、配信プラットフォームにアクセスするユーザのユーザ情報を受信する。例えば、サーバ９０は、ユーザに対しアカウントを発行して、アカウントによるログインをユーザから受け付ける。制御部９０３は、ユーザ情報に示されるユーザについてのユーザ情報データベース９８４、ノートレイアウト購買履歴データベース９８５を参照して、当該ユーザにレコメンドするノートレイアウトの情報を決定する。すなわち、制御部９０３は、過去にユーザが配信プラットフォームで閲覧していたノートレイアウトの情報の履歴、購入したノートレイアウトの情報の履歴などに基づき、ユーザが関心あるノートレイアウトの用途等を特定し、特定した情報に基づいて、ユーザに提示するノートレイアウトの情報を決定する。
【００８２】
ステップＳ１５２３において、サーバ９０の制御部９０３は、配信プラットフォームにアクセスするユーザにレコメンドする情報を含めて、ノートレイアウトの情報を提示するための画面の情報を電子機器３０へ送信する。
【００８３】
ステップＳ１５１３において、電子機器３０の制御部３９０は、サーバ９０から送信される情報を受信して、購買処理等によりノートレイアウトの情報をユーザが取得するための操作を受け付ける画面を生成し、生成した画面を、ブラウザ等によりディスプレイ３３２に表示する。
【００８４】
ステップＳ１５１５において、電子機器３０の制御部３９０は、ユーザの操作内容をログとしてサーバへ送信する。ユーザの操作のログは、ノートレイアウトの情報を検索するためのキーワードの入力の履歴と、ブラウザ等により表示されるノートレイアウトの情報のうちユーザが詳細な情報を確認するための操作を行ったノートレイアウトを示す情報と、ノートレイアウトの情報、ノートレイアウトの情報に基づいたレイアウトを有するノート等をユーザが購入するための課金処理を行ったことを示す情報と、ノートレイアウトを提示するための画面においてユーザが画面を閲覧していたと推定し得る時間（ブラウザでページを表示し続けている時間など）の情報その他の情報を含む。
【００８５】
ステップＳ１５２５において、サーバ９０の制御部９０３は、電子機器３０から、ノートレイアウトの情報をユーザに提示するための画面におけるユーザの操作内容のログを受信する。制御部９０３は、電子機器３０のユーザが、ノートレイアウトの情報、ノートレイアウトの情報に基づいたレイアウトを有するノートを取得するための課金処理を行った場合、課金処理に応じた処理をする。また、電子機器３０のユーザにより課金処理が行われたノートレイアウトの情報が、配信プラットフォームの任意のユーザによって投稿されたものである場合、サーバ９０は、その投稿したユーザに、課金処理の金額に応じてコミッションを付与する処理を行う。
【００８６】
＜その他の変形例＞
上述の各実施形態の説明では、電子機器３０と、サーバ９０とが互いに通信することで処理を実行する例について説明したが、これら各装置の処理は、上記の実施例に限らず、電子機器３０、サーバ９０のいずれかで実行することとしてもよい。
【００８７】
以上、本開示の実施形態について説明をしたが、本発明の技術的範囲が本実施形態の説明によって限定的に解釈されるべきではない。本実施形態は一例であって、特許請求の範囲に記載された発明の範囲内において、様々な実施形態の変更が可能であることが当業者によって理解されるところである。本発明の技術的範囲は特許請求の範囲に記載された発明の範囲及びその均等の範囲に基づいて定められるべきである。
【００８８】
＜付記事項＞
以上の実施の形態で説明した事項を以下に付記する。
【００８９】
（付記１）  一実施形態に示すノート（１）は、行を示唆する罫線（１０、１１、１２、１３、１４、１５）が複数施されることで、３以上の複数の行を有する用紙（２）を具備する。複数の行が、それぞれ視覚的または触覚的に異なる態様で構成されている。
【００９０】
（付記２）
（付記１）のノートにおいて、複数の行は、少なくとも、第１の行（１１Ａ、１２Ａ）と、第１の行に隣接して後続する第２の行（１２Ａ、１３Ａ）と、第２の行に隣接して後続する第３の行（１３Ａ、１４Ａ）とを含む。第１の行を構成する罫線の態様と、第２の行を構成する罫線の態様と、第３の行を構成する罫線の態様とがそれぞれ異なる。
【００９１】
（付記３）
（付記１）または（付記２）のノートにおいて、複数の行のそれぞれは、行を示唆する罫線と、行の背景色とで構成されている。複数の行がそれぞれ異なる態様で構成されていることとは、複数の行の各行を構成する罫線および背景色の組み合わせが、各行でそれぞれ異なることである。
【００９２】
（付記４）
（付記１）から（付記３）のいずれかのノートにおいて、複数の行は、連続する少なくとも２つの行からなる部分ブロック（２１、２２、２３、２４、２５）を複数含む。各部分ブロックを構成する行のそれぞれは、各行を構成する罫線がそれぞれ異なるように構成されている。用紙に含まれる各部分ブロックは、それぞれ、各部分ブロックで異なる背景色を有するように構成されている。
【００９３】
（付記５）
（付記４）のノートにおいて、部分ブロックに含まれる罫線は、予め定められた順序で複数の種類の罫線（１１、１２、１３、１４）が配されるように構成されている。
【００９４】
（付記６）
一実施形態に示す用紙（２）は、行を示唆する罫線が複数施されることで、３以上の複数の行を有する。複数の行が、それぞれ視覚的または触覚的に異なる態様で構成されている。
【００９５】
（付記７）
一実施形態に示す電子機器（３０）は、プロセッサ（３９）、メモリ（３５）、表示部（３３２）および操作部（３３１）を有する。プロセッサが、メモリに記憶されるプログラム（３８１）を読み込んで実行することにより、電子ノート・アプリケーションとしての機能を発揮するように構成されている。電子機器は、電子ノート・アプリケーションをプロセッサで実行することにより、行を示唆する罫線が複数施されることで、３以上の複数の行を含む画面を表示部に表示させ、各行の記入内容を読みだして、表示部に各行の記入内容を表示させ、複数の行を、それぞれ視覚的に異なる態様で表示部に表示させる。
【００９６】
（付記８）
一実施形態に示すプログラムは、プロセッサ、メモリ、表示部および操作部を有する電子機器において実行されるものである。プログラムは、プロセッサに、行を示唆する罫線が複数施されることで、３以上の複数の行を含む画面を表示部に表示させるステップと、各行の記入内容をメモリから読みだして、表示部に各行の記入内容を表示させるステップと、複数の行を、それぞれ視覚的に異なる態様で表示部に表示させるステップとを実行させる。
【符号の説明】
【００９７】
１  ノート、２  用紙、１０，１１，１２，１３，１４  罫線、２１，２２，２３，２４，２５  部分ブロック、３０  電子機器、９０  サーバ。
【図１】
2019084690.tif 000003
【図２】
2019084690.tif 000004
【図３】
2019084690.tif 000005
【図４】
2019084690.tif 000006
【図５】
2019084690.tif 000007
【図６】
2019084690.tif 000008
【図７】
2019084690.tif 000009
【図８】
2019084690.tif 000010